(57)【特許請求の範囲】
【請求項１】
周面に開口部を有する本体に、上下方向に摺動自在でかつ上方への移動操作により前記開口部を開放する扉が設けられたストーブガードにおいて、
本体に係止部を設け、扉の下部に、扉が開方向の所定位置へ移動される際、扉の撓みにより前方又は後方のいずれか一方側に逃げて前記係止部をいったん通過したのち上方側より前記係止部に係止される被係止部を設けたことを特徴とするストーブガード。
【請求項２】
前記被係止部は前記係止部を乗り越えて上方側より前記係止部に係止される一方、前記係止部と前記被係止部とのいずれか一方に、前記被係止部が前記係止部を乗り越えるとき他方が当接するとともに、前記被係止部が設けられている扉の所定部位を前方又は後方のいずれか一方側へ逃がすことにより扉を撓ませるための傾斜を有する傾斜部を設けたことを特徴とする請求項１記載のストーブガード。
【請求項３】
前記被係止部を、扉の下部であるとともに幅方向の中央部分に設けたことを特徴とする請求項１又は２記載のストーブガード。
【請求項４】
扉の下部であって前記被係止部に近接する箇所に、扉の移動操作に使用される把手を設けたことを特徴とする請求項１又は２，３記載のストーブガード。
【発明の詳細な説明】
【０００１】
【発明の属する技術分野】
本発明はストーブガードに関する。
【０００２】
【従来の技術】
従来、一般家庭等において、ストーブの周囲を囲うことにより、子供やペットがストーブに直接触れることを防ぐストーブガードが用いられている。ストーブガードとしては、主にスチール製の線状部材により形成された格子状や網状のパネルを横方向に３枚連結し、各連結部を折り曲げ平面コ字状に起立させることにより、ストーブの正面及び左右側面を囲うものや、前記パネルを４枚乃至は複数枚連結し、それらを折り曲げて四角形乃至は多角形の閉鎖形状としてストーブの全周を囲うものが多い。
【０００３】
また、ストーブガードには、使用時にストーブの正面に位置する上記構造を有する前面パネルに、ストーブの点火や消火を行うための開口部と、それを開閉する扉を設けたものがある。扉としては、それを前面パネルに上下方向にスライド自在に取り付けておき、通常は自重によって、開口部を閉鎖する閉位置へ移動させる上下スライド式のものが多い。
【０００４】
かかる形式の扉にあっては、ストーブの点火や消火を行った後、それを閉め忘れることがない。したがって、例えば水平方向に回動して開口部を開閉する形式のものでは、それがしっかりと閉じられなかった場合、半開状態にある扉に足を引っかける等の心配があるが、上下スライド式の扉ではそうした心配がなかった。
【０００５】
【発明が解決しようとする課題】
しかしながら、前述した扉にあっては上述したような利点があるものの、点火作業や消火作業に際しては、空いている方の手でそれを押さえて落下を防止したり、あるいは作業を行う方の手をいったん開口部に入れた後、同じ腕で扉を支えた状態を維持しながら点火や消火を行う必要があり、利便性においては未だ満足が行くものではなかった。
【０００６】
本発明は、かかる従来の課題に鑑みてなされたものであり、ストーブに対する作業時における利便性に優れたストーブガードを提供することを目的とする。
【０００７】
【課題を解決するための手段】
前記課題を解決するために本発明の請求項１の発明にあっては、周面に開口部を有する本体に、上下方向に摺動自在でかつ上方への移動操作により前記開口部を開放する扉が設けられたストーブガードにおいて、本体に係止部を設け、扉の下部に、扉が開方向の所定位置へ移動される際、扉の撓みにより前方又は後方のいずれか一方側に逃げて前記係止部をいったん通過したのち上方側より前記係止部に係止される被係止部を設けたものとした。
【０００９】
また、請求項２の発明にあっては、前記被係止部は前記係止部を乗り越えて上方側より前記係止部に係止される一方、前記係止部と前記被係止部とのいずれか一方に、前記被係止部が前記係止部を乗り越えるとき他方が当接するとともに、前記被係止部が設けられている扉の所定部位を前方又は後方のいずれか一方側へ逃がすことにより扉を撓ませるための傾斜を有する傾斜部を設けたものとした。
【００１１】
また、請求項３の発明にあっては、前記被係止部を、扉の下部であるとともに幅方向の中央部分に設けたものとした。
【００１３】
また、請求項４の発明にあっては、扉の下部であって前記被係止部に近接する箇所に、扉の移動操作に使用される把手を設けたものとした。
【００１５】
【発明の実施の形態】
以下、本発明の一実施の形態を図にしたがって説明する。
【００１６】
図１及び図２は本発明に係るストーブガード１を示す正面図である。このストーブガード１は、スチール製の線状部材により形成された格子状のパネルが横方向に４枚連結されるとともに、４角形に折り曲げられて両端を連結されることにより、ストーブの周囲を囲む本体２が形成されている。かかる本体２を構成するパネルのうち、使用時にストーブの正面に位置する前面パネル３には、ストーブの点火や消火を行うための開口部４が設けられるとともに（図２参照）、開口部４を開閉する上下スライド式の扉５が前面パネル３に取り付けられている。
【００１７】
また、前面パネル３には、前記開口部４の上縁４ａほぼ中央部に位置して本発明の係止部であるフック６が一体形成されている。フック６は、図３及び図４に示したように、前面パネル３において開口部４の上方で互いに隣接する２本の縦筋を１本の線状部材を折り曲げて構成する一方、その線状部材の折り曲げ部を開口部４に突出させ、かつその先端側を更に前面パネル３の前方に向けて鋭角に折り曲げることによって形成されている。
【００１８】
すなわちフック６は、前記開口部４の上縁４ａより逆ハの字状に下方に延出する一対の延出基部６ａ，６ａと、延出基部６ａ，６ａの各下端部から所定の角度θ（本実施の形態では７０度）で前方に折り返された傾斜部６ｂ，６ｂと、傾斜部６ｂ，６ｂの上端を連結する折返し部６ｃとによって形成されている。
【００１９】
一方、前記扉５は本体２と同様に線状部材により格子状に形成されており、扉５の左右両側部には、その上方側と下縁に位置して、横方向に延在した線状部材からなる取付腕５１，５１，５１，５１がそれぞれ延出している。４本の取付腕５１，５１，５１，５１は、図５に示したように先端側を背面側にＵ字形に屈曲されることにより、前述した前面パネル３における縦方向に延在する線状部材と遊びが確保された状態で係合している。これにより扉５は前面パネル３に上下方向に摺動自在に支持され、通常は自重により開口部４を閉鎖する状態を維持される（図１参照）。また、扉５の下縁中央部には把手５２が一体形成されている。把手５２は、扉５において３本の縦筋を隔てて対をなす２本の縦筋を１本の線状部材を折り曲げて構成する一方、その折り曲げ部をコ字状として扉５の下縁より突出させ、かつその先端側を更に前方に向けて略直角に折り曲げることにより形成されている。
【００２０】
ここで、本実施の形態においては、扉５の下縁の一部であって、前記把手５２に近接するとともに、前述した前面パネル３のフック６の両側に位置して縦方向に延在する線状部材を連結している特定連結部５ａが本発明の被係止部となっている。また扉５の下縁には、それ以外の外周縁を構成する線状部材よりも細い線状部材が使用されており、使用者が把手５２を手前側（前方側）に軽く引く程度の力によって下縁側が容易に湾曲するよう構成されている。そして、前述した前面パネル３におけるフック６の前方側への突出寸法Ｌは（図４）、扉５における前面パネル３に対する前後方向の遊びの量、及び下縁側の撓み剛性に応じた所定寸法に設定されている。
【００２１】
そして、以上の構成からなるストーブガード１においては、手で把手５２を扉５を上方に引き上げると、開口部４がほぼ全開となる直前において、まず扉５の下縁における前述した特定連結部５ａが前面パネル３のフック６の傾斜部６ｂに当接する。このとき扉５を引き上げる力を若干強めると、図６（ａ）に示したように、その操作力Ｆにより特定連結部５ａは傾斜部６ｂに沿って前方に逃げることにより、結果として斜め上方（矢示イ方向）へ向かって移動する。なお、その間において、特定連結部５ａの移動量が扉５と前面パネル３との遊びの量に対応する距離を越えた後には、扉５の下縁側の中央部が前方に向かって撓むことにより移動が継続される。
【００２２】
やがて、特定連結部５ａはフック６の折返し部６ｃを乗り越えると、自動的に折返し部６ｃの内側に移動する。しかる後、把手５２から手を離すと、図６（ｂ）に示したように、扉５の自重によって特定連結部５ａがフック６の傾斜部６ｂに乗り上げる。すなわち、フック６に上方側より係止された状態となり、その状態が確実に維持される。なお、かかる状態は、把手５２を手前に向かって引けば容易に解除できる。
【００２３】
したがって、ストーブガード１の使用時にストーブの点火や消火を行う際、使用者は、扉５をほぼ全開位置に移動させれば、その位置で扉５を自動的に停止させることができる。このため、使用者は、空いている方の手で扉５の落下を防止したり、あるいは作業を行う方の手をいったん開口部４に入れた後、同じ腕で扉５を支えた状態を維持しながら点火や消火を行う必要がない。よって、ストーブガード１にあっては、ストーブに対する作業時における高い利便性を得ることができる。
【００２４】
また、前記ストーブガード１においては、扉５の特定連結部５ａが前面パネル３のフック６をいったん乗り越えてからフック６に係止されるため、使用者に確実な操作感を与えることができる。さらに、フック６に傾斜部６ｂが設けられているため、上記乗り越え動作を楽に行わせることができる。また、扉５の特定連結部５ａがフック６を乗り越えた後には、それが扉５の反力によって自動的にそれ以前の位置に戻るため、使用者は単に把手５２から手を離すだけで、特定連結部５ａをフック６に確実に係止させることができ、操作性もよい。しかも、構造が極めて簡単であり低コストにて製品を提供することができる。
【００２５】
なお、本実施の形態に比べて前述した操作性は低下するが、扉５の特定連結部５ａをフック６に係止させるとき扉５の下端側を撓ませることなく、単に扉５の下端側を前方に移動させる構成としても構わない。その場合には、前面パネル３におけるフック６の前方側への突出寸法Ｌを、扉５における前面パネル３に対する前後方向の遊びの量のみに応じた寸法に設定すればよい。また、扉５の特定連結部５ａがフック６を乗り越えるとき、特定連結部５ａを前方に逃がすようにしたが、これ以外にも後方や側方といったように他の水平方向へ逃がす構成としても構わない。また、操作性はさらに低下するが、例えばフック６に傾斜部６ｂを設けない構造、つまりフック６を把手５２のように先端側が単に水平方向に突出する構造として、扉５の特定連結部５ａにフック６を乗り越えさせるのではなく、単にいったん通過したのち上方側よりフック６に係止させる構成としても構わない。
【００２６】
一方、フック６を前面パネル３に一体形成したが、フック６を前面パネル３とは別部材とし、別途前面パネル３に取り付ける構成としてもよい。また、扉５の特定連結部５ａに代えてフック６に係止される被係止部を別途設け、それを扉５に一体形成したり、別部材により構成したりしてもよい。
【００２７】
また、例えば扉５の背面側に、前記フック６を反転した形状のフックを設け、それを本発明の被係止部とし、かつ前面パネル３において開口部４の上縁４ａを構成している線状部材を本発明の係止部とし、そこに上記フックを係止させる構成としてもよい。
【００２８】
さらに、当然のことながら、本発明の係止部および被係止部として機能させる前面パネル（本体）や扉の各部、または部材の形状、それらを設ける位置、それらの係止構造については、前述した構成に限らず本発明の範囲内で適宜選択することができる。さらに、本実施の形態で示した格子状のパネル以外にも網状のパネル等によって構成されるストーブガードにも採用可能である。
【００２９】
【発明の効果】
以上説明したように本発明によれば、ストーブに対する作業時における利便性を向上させることが可能となる。
【図面の簡単な説明】
【図１】  本発明の一実施の形態を示す、開口部を閉鎖された状態を示すストーブガードの正面図である。
【図２】  開口部を開放した状態を示すストーブガードの正面図である。
【図３】  正面パネルの部分拡大図である。
【図４】  図３のＡ−Ａ断面図である。
【図５】  扉の平面図である。
【図６】  扉がフック部に係止される過程を示す説明図である。
【符号の説明】
１    ストーブガード
２    本体
３    前面パネル
４    開口部
４ａ  上縁
５    扉
５１    取付腕
５２    把手
５ａ  特定連結部
６    フック
６ａ  延出基部
６ｂ  傾斜部
６ｃ  折返し部
【図１】
0003923370.tif 000002
【図２】
0003923370.tif 000003
【図３】
0003923370.tif 000004
【図４】
0003923370.tif 000005
【図５】
0003923370.tif 000006
【図６】
0003923370.tif 000007